(57)【要約】【課題】グローブのパッキングと器具本体との間から光漏れが生じないようにした照明器具を提供することである。【解決手段】器具本体１１は前面に開口を有し、細長で前面開口部に直管形蛍光灯が取り付けられる。グローブ１２は、器具本体１１の前面開口部に位置する直管形蛍光灯を覆うように器具本体１１に蝶番１３及びラッチ１４により開閉可能に取り付けられる。そして、グローブ１２を閉じた状態で器具本体１１と接触する内周部に枠１８を有している。パッキング１７は、グローブ１２が閉じた状態でグローブ１２と器具本体１１との接触部から直管形蛍光灯の光漏れが発生しないようにグローブ１２の枠１８に取り付けられる。また、補助金具１９は、グローブ１２の長辺方向の枠１８の位置ずれを防止する。【選択図】  図１
2008296774.tif 000002
【特許請求の範囲】
【請求項１】
前面に開口を有し細長で前記前面開口部に直管形蛍光灯が取り付けられる器具本体と；
前記器具本体の前面開口部に位置する前記直管形蛍光灯を覆うように前記器具本体に蝶番及びラッチにより開閉可能に取り付けられ閉じた状態で前記器具本体と接触する内周部に枠を有したグローブと；
前記グローブの枠に取り付けられ前記グローブが閉じた状態で前記グローブの枠及び前記器具本体に密着するパッキングと；
前記グローブの長辺方向の前記枠の位置ずれを防止するための補助金具と；
を備えたことを特徴とする照明器具。
【請求項２】
前記パッキングは、筒状に形成され内部に中空部を有し、前記グローブが閉じた状態で弾性変形し、前記グローブの枠及び前記器具本体に密着することを特徴とする請求項１記載の照明器具。
【発明の詳細な説明】
【技術分野】
【０００１】
本発明は、直管形蛍光灯をグローブで覆って照明する照明器具に関する。
【背景技術】
【０００２】
例えば、バスや鉄道車両等の車両用の照明器具においては、直管形蛍光灯をグローブで覆って照明する照明器具が用いられている。このような照明器具では、水や虫等が器具本体に侵入するのを防ぐためにパッキングを介装してグローブを器具本体に取り付けるようにしている。また、パッキングは、グローブと器具本体との接合部からの光漏れ防止の役目もしている。パッキングは、グローブの内周面に設けられた枠で保持され、グローブを閉じた状態で器具本体との接合部で接触する。
【０００３】
ここで、グローブを有した車両用蛍光灯器具として、本体ケースにパッキングを取り付ける際に、係止部材にパッキングを係止させて取り付け、パッキングが係止された本体ケースを介在してグローブを取り付け、パッキングを本体ケースに対して簡単に、かつ確実に取り付けることができるようにしたものがある（例えば、特許文献１参照）。
【特許文献１】実開平５−２２１８６号公報
【発明の開示】
【発明が解決しようとする課題】
【０００４】
しかし、パッキングはグローブの内周部に配置された枠で保持されているが、直管形蛍光灯を装着した器具本体が細長であり、またパッキング形状の断面が四角形状であるため、器具本体が平面的に配置された状態でないと、グローブのパッキングが器具本体に密着して取り付けできないときがある。すなわち、枠は細長の器具本体の両端だけで保持されているため、その保持方法や強度によっては、均一な枠幅寸法を保持できないことがあり、枠幅寸法が不均一であると枠に取り付けたパッキングが本体から離れる可能性がある。
【０００５】
また、パッキングは断面が四角形状であり、枠全周に配置されているため、パッキングの接圧が強くないと、器具本体とグローブのパッキングとの間に隙間が発生し、隙間が発生するとその隙間から光漏れが発生する。パッキングの接圧を強くすると、グローブを閉じる際に大きな力を必要とするので、グローブを閉じることが困難な作業となる。
【０００６】
本発明の目的は、グローブのパッキングと器具本体との間から光漏れが生じないようにした照明器具を提供することである。
【課題を解決するための手段】
【０００７】
請求項１の発明に係わる照明器具は、前面に開口を有し細長で前記前面開口部に直管形蛍光灯が取り付けられる器具本体と；前記器具本体の前面開口部に位置する前記直管形蛍光灯を覆うように前記器具本体に蝶番及びラッチにより開閉可能に取り付けられ閉じた状態で前記器具本体と接触する内周部に枠を有したグローブと；前記グローブの枠に取り付けられ前記グローブが閉じた状態で前記グローブの枠及び前記器具本体に密着するパッキングと；前記グローブの長辺方向の前記枠の位置ずれを防止するための補助金具と；を備えたことを特徴とする。
【０００８】
本発明および以下の発明において、特に指定しない限り用語の定義および技術的意味は以下による。
【０００９】
器具本体は、直管形蛍光灯を収納可能の大きさの細長に形成される。器具本体の前面開口部とは、直管形蛍光灯が器具本体に装着されたときに直管形蛍光灯からの光を外部に照射するように開口された部分をいう。
【００１０】
グローブとは、器具本体の前面開口部に位置する直管形蛍光灯を覆い直管形蛍光灯からの光を透過させる部材をいう。蝶番とはグローブを器具本体に開閉自在に取り付ける部材をいい、ラッチとはグローブが閉じた状態でグローブを器具本体に着脱可能に固定する部材をいう。枠とはパッキングを装着するために、グローブが閉じた状態で器具本体と接触する内周部に形成された部材をいう。
【００１１】
パッキングとはグローブの内周部の枠に取り付けられる部材をいい、グローブが閉じた状態でグローブの枠及び器具本体に密着し、グローブと器具本体との接触部から直管形蛍光灯の光漏れが発生しないようにするためのものである。パッキングは弾力性を有した部材であり、例えばゴムなどである。
【００１２】
補助金具は、グローブの内周部のうち長辺方向の枠の位置ずれを防止するための部材であり、例えば、枠の両端に略コ字型に折り曲げ形成され、枠の倒れや位置ずれを防止する部材である。
【００１３】
請求項２の発明に係わる照明器具は、請求項１の発明において、パッキングは、筒状に形成され内部に中空部を有し、前記グローブが閉じた状態で弾性変形し、前記グローブの枠及び前記器具本体に密着することを特徴とする。
【００１４】
筒状とは、外殻部の内部に中空部を有した形状をいう。筒状のパッキングは、器具本体の接触面で接触したときには、外殻部だけでの接圧となるので、外殻部及び中空部が容易に変形し全体としてより大きな弾性力を有する。
【発明の効果】
【００１５】
請求項１の発明によれば、補助金具によりグローブの長辺方向の枠の位置ずれを防止するので、枠に取り付けられるパッキングの位置ずれを防止でき、器具本体とグローブとの間の光漏れを防止できる。器具本体が平面的に配置された状態でないと枠自体も位置ずれを生じるが、補助金具により枠の多少の平衡度を吸収できるので光漏れを防止できる。
【００１６】
請求項２の発明によれば、パッキングの接圧が弱くても、パッキングが弾性変形するので、確実に器具本体と枠部に取り付けたパッキングとが接触でき、器具本体とグローブとの間の光漏れを防止できる。
【発明を実施するための最良の形態】
【００１７】
図１は本発明の実施の形態に係わる照明器具の一部切り欠き側面断面図である。器具本体１１とグローブ１２とは蝶番１３で開閉自在に取り付けられ、グローブ１２を閉じた状態で器具本体１１に固定するためのラッチ１４が設けられている。器具本体１１は前面に開口部を有し、この前面開口部の両端部に直管形蛍光灯を装着するためのランプソケット１５が取り付けられ、このランプソケット１５に直管形蛍光灯が装着される。ランプソケット１５に装着された直管形蛍光ランプは点灯装置１６から点灯電源が供給され点灯制御される。
【００１８】
グローブ１２には、長辺方向のパッキング１７ａが長辺方向の枠１８ａにより保持され、短辺方向についても、短辺方向のパッキング１７ｂが短辺方向の枠１８ｂにより保持されている。また、グローブ１２の長辺方向の枠１８ａは、グローブ１２の両端で補助金具１９で保持されている。
【００１９】
図２は本発明の実施の形態に係わる照明器具の正面図、図３は本発明の実施の形態に係わる照明器具のグローブの内部平面図である。器具本体１２は、図２に示すように細長に形成され、グローブ１２は器具本体１１の前面開口部に位置する直管形蛍光灯を覆うように、器具本体１１に開閉自在に取り付けられる。また、図３に示すように、グローブ１２の内周部にはパッキング１７ａ、１７ｂを保持するための枠１８ａ、１８ｂが設けられ、この枠１８ａ、１８ｂにパッキング１７ａ、１７ｂが取り付けられる。グローブ１２の枠１８ａ、１８ｂに取り付けられたパッキング１７ａ、１７ｂは、グローブ１２が閉じた状態でグローブ１２と器具本体１１との接触部から直管形蛍光灯からの光漏れが発生しないように、グローブ１２と器具本体１１との接触部を密着させるものである。
【００２０】
また、グローブ１２の長辺方向の枠１８ａの両端には補助金具１９が設けられている。補助金具１９は、例えば、長辺方向の枠１８ａの両端に略コ字型に折り曲げ形成され、長辺方向の枠１８ａの倒れや位置ずれを防止する。グローブ１２の外枠に補助金具１９にて長辺方向の枠１８ａを取り付けるので、長辺方向の枠１８ａの両端の幅寸法を適正な寸法に維持することが可能となる。これにより、長辺方向の枠１８ａの中央部分の幅寸法も適正な寸法に維持でき、長辺方向の枠１８ａの幅方向の位置ずれを防止できる。従って、グローブ１２を閉じた状態のときに、確実にパッキング１７ａ、１７ｂを器具本体１１に接触させることができる。
【００２１】
次に、パッキング１７について説明する。図４は本発明の実施の形態に係わるパッキングの説明図である。パッキング１７は、器具本体１１が平面的に配置された状態では、断面形状が四角形状のパッキングでも確実に器具本体１１と接触可能である。一方、照明器具が取り付けられる部材の平衡度（歪み）がある場合には、その歪みにより隙間が発生することがある。そこで、その影響を考慮し、本発明の実施の形態では、パッキング１７を図４に示すように形成する。
【００２２】
図４（ａ）に示すように、パッキング１７の断面は高さ寸法を従来の断面形状が四角形状のパッキングより高くし、中央部をやや膨らませた筒状に形成する。つまり、パッキング１７の中心部に貫通孔を形成して、外殻部２０の内部に中空部２１を有した形状とする。グローブ１２が閉じた状態で、器具本体１１の接触面で接触したときには、外殻部２０だけでの接圧となるので、外殻部２０及び中空部２１が容易に変形し全体としてより大きな弾性力を有することになる。これにより、器具本体１１との接触面でグローブ１２と器具本体１１との接触部から直管形蛍光灯の光漏れが発生しないようにすることができる。
【００２３】
また、図４（ｂ）に示すように、パッキング１７の断面は高さ寸法を従来の断面形状が四角形状のパッキングより高くし、断面が略くの字の幅狭の圧縮変形部２２を突出して設けるようにしてもよい。
【００２４】
グローブ１２が閉じた状態で、器具本体１１の接触面で接触したときには、略くの字形状の幅狭の圧縮変形部２２が変形して圧縮され、器具本体１１の接触面に密着する。この場合、圧縮変形部２２は、断面が略くの字形状で幅狭であるので器具本体１１との接圧を低減できる。これにより、確実にパッキング１７と器具本体１１との光漏れを防止できる。
【００２５】
本発明の実施の形態によれば、長辺方向のグローブ１２の枠１８ａを両端で保持する補助金具１９を設けたので、長辺方向の枠１８ａの内倒れや位置ずれを防止でき、長辺方向の枠１８ａの幅寸法を適正に保持できる。従って、長辺方向の枠１８ａへ取り付けたパッキング１７ａと器具本体１１とは、光漏れが発生しないように接触させることができる。
【００２６】
また、パッキング１７の断面形状を従来の断面が四角形状のパッキングの高さ寸法より高くし、弾力性を持たせたパッキング１７としたので、器具本体１１との接圧を低減して密着させることができる。従って、グローブ１２が閉じた際に、グローブ１２の枠１８と器具本体１１との間の光漏れを防止できる。
【図面の簡単な説明】
【００２７】
【図１】本発明の実施の形態に係わる照明器具の一部切り欠き側面断面図。
【図２】本発明の実施の形態に係わる照明器具の正面図。
【図３】本発明の実施の形態に係わる照明器具のグローブの内部平面図。
【図４】本発明の実施の形態におけるパッキングの側面図。
【符号の説明】
【００２８】
１１…器具本体、１２…グローブ、１３…蝶番、１４…ラッチ、１５…ランプソケット、１６…点灯装置、１７…パッキング、１８…枠、１９…補助金具、２０…外殻部、２１…中空部、２２…圧縮変形部
【図１】
2008296774.tif 000003
【図２】
2008296774.tif 000004
【図３】
2008296774.tif 000005
【図４】
2008296774.tif 000006